(57)【要約】【課題】共用の筐体で用途に応じて誘導加熱コイルの位置を変えた製品を構成することが可能な誘導加熱調理器を提供すること。【解決手段】支持金具１と筐体２、とばね６と、誘導加熱コイル７とを備え、支持金具１の筐体２への固定手段をスリット３、４、あるいはスリット４、５への差込みとすることにより、支持金具１の固定位置を変えることができ、共用の筐体２で用途に応じて誘導加熱コイル７の位置を変えた製品を構成することが可能となる。【選択図】図２
2007335089.tif 000002
【特許請求の範囲】
【請求項１】
誘導加熱コイルと、ばねと、支持金具と、筐体とを備え、前記支持金具は前記筐体に固定位置の変更が可能なように固定された誘導加熱調理器。
【請求項２】
支持金具はばねを圧入するための斜面を設けた請求項１に記載の誘導加熱調理器。
【請求項３】
支持金具はばねの伸縮をなめらかにするために先端部に丸みを設けた請求項１または２に記載の誘導加熱調理器。
【請求項４】
支持金具は側面からの外力に対する曲げ強度を強化した請求項１〜３のいずれか１項に記載の誘導加熱調理器。
【発明の詳細な説明】
【技術分野】
【０００１】
本発明は一般家庭で使用される誘導加熱調理器に関するものである。
【背景技術】
【０００２】
従来、この種の誘導加熱調理器は筐体にばねを伸縮可能に係合し、誘導加熱コイルを支持している（例えば、特許文献１参照）。
【０００３】
図３は、特許文献１に記載された従来の誘導加熱調理器を示すものである。図３に示すように、加熱コイル装置９と、弾性体１１と、筐体から構成されている。
【０００４】
図４、５は従来の誘導加熱調理器の筐体とばねの係合方法の具体的な実施例を示すものである。図４、５に示すように、誘導加熱コイル７と、ばね６と、支持金具１、と筐体２から構成されている。
【特許文献１】特開２００３−１００４２９号公報
【発明の開示】
【発明が解決しようとする課題】
【０００５】
しかしながら、前記従来の構成では、筐体に対する支持金具の固定手段が、筐体に設けられた絞り形状の差込みであり、第１の固定位置の近傍に、第２の固定位置を構成する場合に、前記支持金具と前記絞り形状が干渉するので、共用の筐体で用途に応じて誘導加熱コイルの位置を変えた製品を構成するのが困難であるという課題を有していた。
【０００６】
本発明は、前記従来の課題を解決するもので、筐体に対する支持金具の固定手段が、筐体に設けられたスリット形状の差込とし、第１の固定位置の近傍に第２の固定位置を構成することを容易にし、共用の筐体で用途に応じて誘導加熱コイルの位置を変えた製品を構成することを可能とした誘導加熱調理器を提供することを目的とする。
【課題を解決するための手段】
【０００７】
前記従来の課題を解決するために、本発明の誘導加熱調理器は、誘導加熱コイルと、ばねと、支持金具と、筐体とを備え、前記支持金具は前記筐体に固定位置の変更が可能なように固定されたものである。
【０００８】
これによって、前記支持金具の固定位置を変更することによって、共用の筐体で用途に応じて誘導加熱コイルの位置を変えた製品を構成することができるようになる。
【発明の効果】
【０００９】
本発明の誘導加熱調理器は、共用の筐体で用途に応じて誘導加熱コイルの位置を変えた製品を構成することができる。
【発明を実施するための最良の形態】
【００１０】
第１の発明は誘導加熱コイルと、ばねと、支持金具と、筐体とを備え、前記支持金具は前記筐体に固定位置の切り替えが可能なように固定されるようにすることにより、共用の筐体で用途に応じて誘導加熱コイルの位置を変えた製品を構成することができる。
【００１１】
第２の発明は、特に、第１の発明の支持金具とばねの係合部に斜面を設けることにより、ばねを支持金具に圧入することとなり、誘導加熱コイルを設置する際にばねがはずれることを防止し、組立性を向上することができる。
【００１２】
第３の発明は、特に、第１または第２の発明の支持金具の先端に丸みを設けることにより、誘導加熱コイルを設置する際にばねの伸縮をなめらかにし、組立性を向上することができる。
【００１３】
第４の発明は、特に、第１〜３のいずれか１つの発明の支持金具を筐体に固定する手段として、差込形状を横長断面から縦長断面にすることにより、包装落下衝撃等の側面からの外力にたいする、曲げ強度を向上することができる。
【００１４】
以下、本発明の実施の形態について、図面を参照しながら説明する。なお、この実施の
形態によって本発明が限定されるものではない。
【００１５】
（実施の形態１）
図１は、本発明の第１の実施の形態における誘導加熱調理器の斜視図を示すものである。
【００１６】
図２は、本発明の第１の実施の形態における誘導加熱調理器の部分拡大図を示すものである。
【００１７】
図１、２において、支持金具１は筐体２に設けられたスリット３とスリット４に差し込んで固定される。ばね６は支持金具１上部に設置され、誘導加熱コイル７を支持している。
【００１８】
以上のように構成された誘導加熱調理器について、以下その動作、作用を説明する。
【００１９】
まず、スリット３とスリット４の距離とスリット４とスリット５の距離を等しく構成することにより、支持金具１はスリット４とスリット５に差し込んだ位置にも固定することができることとなる。
【００２０】
以上のように、本実施の形態においては支持金具１の筐体２に対する固定手段をスリット形状とすることにより、固定位置を切り替えることができ、共用の筐体２で用途に応じて誘導加熱コイル７の位置を変えた製品を構成することができる。
【００２１】
また、本実施の形態では支持金具１とばね６の係合部にばね６が圧入となるように斜面８を設けることにより、誘導加熱コイル７を設置する際にばね６がはずれることを防止し、組立性を向上することができる。
【００２２】
また、本実施の形態では、支持金具１の先端に丸み１２を設けることにより、誘導加熱コイル７を設置する際にばね６が滑らかに伸縮するようにして、組立性を向上することができる。
【００２３】
また、本実施の形態では、矢印方向に働く包装落下時等の側面からの外力を受ける、支持金具１の差込部１０が縦長の方形断面となっており、横長の方形断面に比べて、断面二次モーメントが大きく、曲げに対する強度が向上している。
【産業上の利用可能性】
【００２４】
以上のように、本発明の誘導加熱調理器は共用の筐体で用途に応じて誘導加熱コイルの位置を変えた製品を構成することが可能となるので、広く加熱調理機器の筐体を共用し、用途に応じた製品品種の拡大に適用できる。
【図面の簡単な説明】
【００２５】
【図１】本発明の実施の形態１における誘導加熱調理器の斜視図
【図２】本発明の実施の形態１における誘導加熱調理器の部分拡大図
【図３】従来の誘導加熱調理器の断面図
【図４】従来の誘導加熱調理器の具体的な実施例の斜視図
【図５】従来の誘導加熱調理器の具体的な実施例の部分拡大図
【符号の説明】
【００２６】
１  支持金具
２  筐体
３、４、５  スリット
６  ばね
７  誘導加熱コイル
８  斜面
９  加熱コイル装置
１０  差込部
１１  弾性体
１２  丸み
【図１】
2007335089.tif 000003
【図２】
2007335089.tif 000004
【図３】
2007335089.tif 000005
【図４】
2007335089.tif 000006
【図５】
2007335089.tif 000007